(57)【要約】【課題】強制空冷以外の方法で、冷媒の対流を促し、放熱性能を向上させることができる電子部品の放熱装置を提供することを課題とする。【解決手段】電子部品２３の放熱装置２０は、放熱部２２−Ａ、２２−Ｂに温度勾配を形成し、前記温度勾配により、冷媒に対流を発生させる。前記放熱部２２−Ａ、２２−Ｂの隣り合う箇所の温度が互いに相違するように、前記温度勾配は形成される。【選択図】図２
2008098432.tif 000002
【特許請求の範囲】
【請求項１】
電子部品の放熱装置であって、
当該放熱装置の放熱部に温度勾配が形成されることを特徴とする電子部品の放熱装置。
【請求項２】
請求項１記載の電子部品の放熱装置であって、
前記放熱部の隣り合う箇所の温度が互いに相違するように、前記温度勾配が形成されていることを特徴とする電子部品の放熱装置。
【請求項３】
請求項１又は２記載の電子部品の放熱装置であって、
前記放熱部に、熱伝導率が高い箇所と熱伝導率が低い箇所とが交互に配設されて、前記温度勾配が形成されていることを特徴とする電子部品の放熱装置。
【請求項４】
請求項１又は２記載の電子部品の放熱装置であって、
前記放熱部に、輻射率が高い箇所と輻射率が低い箇所とが交互に配設されて、前記温度勾配が形成されていることを特徴とする電子部品の放熱装置。
【請求項５】
請求項１又は２記載の電子部品の放熱装置であって、
前記放熱部に、放熱面積が大きい箇所と放熱面積が小さい箇所とが交互に配設されて、前記温度勾配が形成されていることを特徴とする電子部品の放熱装置。
【発明の詳細な説明】
【技術分野】
【０００１】
本発明は、電子部品の放熱装置に関し、より具体的には、コンピュータ、表示装置、情報通信装置、機械制御装置、電力変換装置等の電子機器に組み込まれた半導体素子等の電子部品を冷却するための、電子部品の放熱装置に関する。
【背景技術】
【０００２】
コンピュータ、表示装置、情報通信装置、機械制御装置、電力変換装置等の電子機器にあっては、例えば配線基板上に実装された半導体素子等、電子機器に搭載された電子部品が動作と共に発熱をする。かかる熱により、電子部品及び電子機器の内部の温度は上昇し、当該温度が所定の規定値を超えると電子部品の誤動作や故障を招くおそれがある。
【０００３】
そのため、電子機器に搭載された電子部品を安定的に動作させるためには、電子部品の動作温度が所定の規定値を超えないように冷却することが必要であり、電子部品から発せられる熱を放熱装置により電子機器の外部に放熱する態様が提案されている。
【０００４】
図１は、配線基板上に実装された半導体素子上に設けられた従来の放熱装置を示す図であり、図１（ａ）は斜視図であり、図１（ｂ）は図１（ａ）において矢印Ａの方向に見たときの状態を示す図である。
【０００５】
図１を参照するに、従来の放熱装置１０は、放熱フィンとも称され、伝導性金属である銅（Ｃｕ）、アルミニウム（Ａｌ）又はこれらの合金等から構成される。放熱装置１０は、前記伝導性金属の板から成るベース部１と、ベース部１の上面に複数本設けられた柱状のピン２から構成される。
【０００６】
放熱装置１０により放熱される電子部品である半導体素子３は、配線基板４の上面に、半田等の接続部材を介して実装されている。かかる半導体素子３の上面に、放熱装置１０のベース部１が装着され、放熱装置１０と半導体素子３とは、機械的かつ熱的に接続された構造となっている。
【０００７】
即ち、半導体素子３が動作すると半導体素子３は発熱するが、当該熱は、ベース部１の平面方向に拡散され、更に、ベース部１の上面に複数本設けられたピン２に伝導する。そうすると、ピン２の温度は上昇するため、ピン２の近傍の冷媒（空気）が暖められ、図１（ｂ）において白抜きの矢印で示すように、上方向の対流、即ち、上昇気流が発生し、半導体素子３から発せられた熱は外部の空気中に放散される。
【０００８】
なお、このとき、図１に示す構造においては、隣り合うピン２の温度は略同一であるため、発生する対流の方向は上方向のみである。
【０００９】
このような構造を有する放熱装置１０においては、放熱特性を向上させるべく、例えば、ピン２の太さを太くすることにより、また、ベース部１におけるピン２の配設数を多くすることにより、放熱装置１０における放熱面積を増加させる態様、各ピン２を構成する材料として高熱伝導率を有する材料を採用する態様、各ピン２の放熱面の輻射率を向上させる態様等、が提案されている。
【００１０】
一方、近年の電子機器の小型化・高機能化に伴い、当該電子機器に搭載される半導体素子等の電子部品の高密度化が要求されている。そのため、半導体素子等の電子部品の発熱密度は上昇の一途をたどっており、放熱装置の更なる性能向上、即ち、電子部品の冷却効率の更なる向上が求められている。
【００１１】
その対応策として、放熱装置において、冷媒の対流を促進させて熱伝達を促す態様が提案されている。
【００１２】
具体的には、電子機器がファンを搭載することができる機器である場合に、当該ファンにより、電子機器内に搭載された電子部品を強制的に空冷することにより、当該電子部品の冷却効率の向上が図られる。
【００１３】
例えば、ファンを駆動して、流路内に回路基板と平行に流れる平行冷媒流を発生させて、該回路基板に実装した半導体素子の上面に冷媒を流して冷却を行う冷却装置であって、該半導体素子の上面には、複数の傾斜柱状放熱フィンが、マトリクス状に配置され且つ前記平行冷媒流の上流側に所定角度傾斜した状態で固定されてなる冷却装置が提案されている（特許文献１参照）。
【００１４】
また、コンピュータの発熱体から発する熱の一部を前記発熱体とは異なる位置に熱伝導するヒートシンクと、前記発熱体から発する熱の残りを前記発熱体とは異なる位置に強制的に移送する熱移送手段と、その移送された熱を前記熱移送手段から強制的に放熱する強制放熱手段と、を含むコンピュータの冷却装置が提案されている（特許文献２）
更に、情報機器本体の内部に配置された発熱体、及び前記情報機器本体に対し開閉可能に取り付けられ、かつ、表示デバイスを配置した表示部側筐体を有する情報機器であって、表示部側筐体内に液体冷媒を密封内包した液体冷媒容器を配置し、高熱伝導性材からなる伝熱デバイスの一端を本体内の前記発熱体と伝熱可能に接続するとともに他端を前記液体冷媒容器内の液体冷媒に伝熱可能に接続した情報機器の放熱機構が提案されている（特許文献３参照）。
【特許文献１】特許第３２３６１３７号公報
【特許文献２】特開２０００−２７７９６４号公報
【特許文献３】特開２００１−３５６８４２号公報
【発明の開示】
【発明が解決しようとする課題】
【００１５】
しかしながら、電子機器の中にはファンを搭載できない機器がある。
【００１６】
例えば、大型表示装置等にあっては、風切音（空冷音）等、騒音の発生するファンは視聴の妨げとなるため、当該ファンを搭載することは望ましくない。
【００１７】
また、携帯電話等の電波の送受信機（ＴＲＸ装置）等は、電柱上部やビル屋上等、屋外に設置されることが多い。従って、メンテナンスフリーで長期の信頼性が要求される一方、消耗品のファンを搭載してしまうと、当該ファンの交換等の際に、換気穴からのゴミ・塵等が進入してしまうおそれがあり、望ましくない。
【００１８】
このようなファンを搭載することができない又は搭載することが望ましくない機器に対しては、強制空冷以外の方法で（ファンレスで）、冷媒の対流を促進させて熱伝達を促し、放熱性能（冷却効率）を向上させる態様が望まれる。
【００１９】
そこで、本発明は、上記の点に鑑みてなされたものであって、強制空冷以外の方法で、冷媒の対流を促し、放熱性能を向上させることができる電子部品の放熱装置を提供することを本発明の目的とする。
【課題を解決するための手段】
【００２０】
本発明の一観点によれば、電子部品の放熱装置であって、当該放熱装置の放熱部に温度勾配が形成され、前記温度勾配により、冷媒に対流を発生させることを特徴とする電子部品の放熱装置が提供される。かかる放熱装置において、前記放熱部の隣り合う箇所の温度が互いに相違するように、前記温度勾配が形成されていてもよい。
【００２１】
当該放熱装置において、前記放熱部に、熱伝導率が高い箇所と熱伝導率が低い箇所とが交互に配設されて、前記温度勾配が形成されていてもよい。
【００２２】
また、前記放熱部に、輻射率が高い箇所と輻射率が低い箇所とが交互に配設されて、前記温度勾配が形成されていてもよい。
【００２３】
更に、前記放熱部に、放熱面積が大きい箇所と放熱面積が小さい箇所とが交互に配設されて、前記温度勾配が形成されていてもよい。
【発明の効果】
【００２４】
本発明によれば、強制空冷以外の方法で、冷媒の対流を促し、放熱性能を向上させることができる電子部品の放熱装置を提供することができる。
【発明を実施するための最良の形態】
【００２５】
以下、本発明の実施の形態について説明する。
【００２６】
詳細は後述するが、本発明の各実施の形態においては、放熱装置のピンの温度を全て均一の温度にしない構造として、当該放熱装置の放熱面に温度勾配を形成し、その温度勾配を利用して、強制空冷（強制対流）以外の方法、即ち、ファンレスの自然空冷（自然対流）により、冷媒（空気）の対流を促進させる構造となっている。
【００２７】
なお、以下では、本発明の実施の形態にかかる放熱装置の対象である電子部品として配線基板に実装された半導体素子を例に挙げて説明するが、本発明を半導体素子以外の電子部品の放熱装置に適用することができることは言うまでもない。
【００２８】
また、以下の説明における「ピン」が、特許請求の範囲に記載の「放熱部」を構成する。
【００２９】
［第１の実施の形態］
図２は、本発明の第１の実施の形態にかかる放熱装置を示す図である。具体的には、図２（ａ）は、配線基板上に実装された半導体素子上に設けられた本発明の第１の実施の形態にかかる放熱装置の斜視図であり、図２（ｂ）は図２（ａ）において矢印Ａの方向に見たときの状態を示す図である。
【００３０】
図２を参照するに、本発明の第１の実施の形態にかかる放熱装置２０は、放熱フィンとも称され、伝導性金属である銅（Ｃｕ）、アルミニウム（Ａｌ）又はこれらの合金等から構成される。放熱装置２０は、前記伝導性金属の板から成るベース部２１と、ベース部２１の上面に複数本設けられた鉛直方向に柱状の２種類のピン２２−Ａ及び２２−Ｂから構成される。
【００３１】
より具体的には、ピン２２−Ａは、銅（Ｃｕ）、アルミニウム（Ａｌ）又はこれらの合金等から構成され、その表面には特に処理は施されていない。
【００３２】
一方、ピン２２−Ｂは、銅（Ｃｕ）、アルミニウム（Ａｌ）又はこれらの合金等から構成され、その表面には、例えば、エポキシ樹脂、フッ素ゴム等のフッ素系樹脂等の樹脂薄膜が形成されている。従って、ピン２２−Ｂは、かかる樹脂皮膜が形成されていないピン２２−Ａに比し、熱伝導率は低い。なお、この樹脂皮膜は、ピン２２−Ａにマスクを施して、ピン２２−Ａ及び２２−Ｂ全体を前記樹脂が充填された容器に浸漬（ディッピング）又は、ピン２２−Ａ及び２２−Ｂ全体に前記樹脂をスプレー塗布等することにより、形成される。
【００３３】
かかるピン２２−Ａ及び２２−Ｂは、ベース部２１の上面において、縦横に交互になるように配列されている。従って、ピン２２−Ａ及び２２−Ｂは互いに隣り合うように、ベース部２１の上面に設けられている。
【００３４】
一方、放熱装置２０により放熱される電子部品である半導体素子２３は、配線基板２４の上面に、半田等の接続部材を介して実装されている。かかる半導体素子２３の上面に、放熱装置２０のベース部２１が装着されて、放熱装置２０と半導体素子２３とは、機械的かつ熱的に接続された構造となっている。
【００３５】
かかる構造の下、半導体素子２３が動作すると半導体素子２３は発熱するが、当該熱は、ベース部２１の平面方向に拡散され、更に、ベース部２１の上面に複数本設けられたピン２２−Ａ及び２２−Ｂに伝導する。そうすると、ピン２２−Ａ及び２２−Ｂの温度は上昇するため、ピン２２−Ａ及び２２−Ｂの近傍の冷媒（空気）が暖められ、上方向の対流、即ち、上昇気流が発生し、半導体素子２３から発せられた熱は外部の空気中に放散される。このことは、図１に示す従来の放熱装置１０の場合と同じである。
【００３６】
本例では更に、上述のように、ベース部２１の上面に複数本設けられた柱状の２種類のピン２２−Ａ及び２２−Ｂの熱伝導率は相違する。従って、放熱装置２０の放熱面において、熱伝導率の高い領域（ピン２２−Ａが設けられている領域）と熱伝導率の低い領域（ピン２２−Ｂが設けられている領域）とが形成されている。
【００３７】
熱伝導率の高い領域（ピン２２−Ａが設けられている領域）では、放熱性能が高く、温度が低くなる一方、熱伝導率の低い領域（ピン２２−Ｂが設けられている領域）では、放熱性能が低く、温度が高くなる。
【００３８】
このように、本例では、温度が高い領域（ピン２２−Ｂが設けられている領域）と温度が低い領域（ピン２２−Ａが設けられている領域）とにより温度勾配が形成されているため、図２（ｂ）に白抜きの矢印で示すように、温度が高い領域（ピン２２−Ｂが設けられている領域）から温度が低い領域（ピン２２−Ａが設けられている領域）に向かって対流が発生・促進される。
【００３９】
即ち、本例では、放熱面に熱伝導率の高い領域（ピン２２−Ａが設けられている領域）と熱伝導率の低い領域（ピン２２−Ｂが設けられている領域）とを形成することにより、冷媒（空気）の自然対流（ファンレス対流）が促進されるため、放熱面と冷媒（空気）との熱伝達が向上し、高い放熱性能（冷却効率）を得ることができる。
【００４０】
［第２の実施の形態］
図３は、本発明の第２の実施の形態にかかる放熱装置を示す図である。具体的には、図３（ａ）は、配線基板上に実装された半導体素子上に設けられた本発明の第２の実施の形態にかかる放熱装置の斜視図であり、図３（ｂ）は図３（ａ）において矢印Ａの方向に見たときの状態を示す図である。
【００４１】
なお、図３において、図２を参照して示した箇所と同じ箇所には同じ符号を付して、その説明を省略する。
【００４２】
図２を参照して説明した本発明の第１の実施の形態では、放熱面に熱伝導率の高い領域（ピン２２−Ａが設けられている領域）と熱伝導率の低い領域（ピン２２−Ｂが設けられている領域）とを設けることにより温度勾配を形成していたが、本発明の第２の実施の形態においては、放熱面に輻射率の高い領域と低い領域とを設けることにより温度勾配を形成している。
【００４３】
より具体的には、本発明の第２の実施の形態にかかる放熱装置３０のベース部２１の上面に複数本設けられた鉛直方向に柱状の２種類のピン３２−Ａ及び３２−Ｂの輻射率を異ならしめている。
【００４４】
ピン３２−Ａは、銅（Ｃｕ）、アルミニウム（Ａｌ）又はこれらの合金等から構成され、その表面には、例えば、黒色塗料が塗布されている。ここで、黒色塗料は、例えば、カーボンを含有する樹脂等から成る。
【００４５】
一方、ピン３２−Ｂは、銅（Ｃｕ）、アルミニウム（Ａｌ）又はこれらの合金等から構成され、その表面には特に処理は施されておらず、当該材料のままの色で、例えば、銅であれば茶色、アルミニウムであれば銀色が露出している。
【００４６】
例えば、本実施例の黒色塗料の輻射率は約０．９５であり、ピン３２−Ａは、かかる黒色が塗布されていないピン３２−Ｂに比し、輻射率は高い。なお、ピン３２−Ａの輻射率を高める態様として、本例のように色を変える例のほか、輻射材をピン３２−Ａの表面に設けてもよい。なお、銅（Ｃｕ）とアルミニウム（Ａｌ）の輻射率は、それぞれ、約０．０２乃至約０．０４、約０．０３乃至約０．０５である。
【００４７】
ピン３２−Ａ及び３２−Ｂは、ベース部２１の上面において、縦横に交互になるように配列されている。従って、ピン３２−Ａ及び３２−Ｂは互いに隣り合うように、ベース部２１の上面に設けられている。
【００４８】
かかる構造の下、半導体素子２３が動作すると半導体素子２３は発熱するが、当該熱は、ベース部２１の平面方向に拡散され、更に、ベース部２１の上面に複数本設けられたピン３２−Ａ及び３２−Ｂに伝導する。そうすると、ピン３２−Ａ及び３２−Ｂの温度は上昇するため、ピン３２−Ａ及び３２−Ｂの近傍の冷媒（空気）が暖められ、上方向の対流、即ち、上昇気流が発生し、半導体素子２３から発せられた熱は外部の空気中に放散される。このことは、図１に示す従来の放熱装置１０の場合と同じである。
【００４９】
本例では更に、上述のように、ベース部２１の上面に複数本設けられた柱状の２種類のピン３２−Ａ及び３２−Ｂの輻射率は相違する。従って、放熱装置２０の放熱面において、輻射率の高い領域（ピン３２−Ａが設けられている領域）と輻射率の低い領域（ピン３２−Ｂが設けられている領域）とが形成されている。
【００５０】
輻射率の高い領域（ピン３２−Ａが設けられている領域）では、放熱性能が高く、温度が低くなる一方、輻射率の低い領域（ピン３２−Ｂが設けられている領域）では、放熱性能が低く、温度が高くなる。
【００５１】
このように、本例では、温度が高い領域（ピン３２−Ｂが設けられている領域）と温度が低い領域（ピン３２−Ａが設けられている領域）とにより温度勾配が形成されているため、図３（ｂ）に白抜きの矢印で示すように、温度が高い領域（ピン３２−Ｂが設けられている領域）から温度が低い領域（ピン３２−Ａが設けられている領域）に向かって対流が発生・促進される。
【００５２】
即ち、本例では、放熱面に輻射率の高い領域（ピン３２−Ａが設けられている領域）と輻射率の低い領域（ピン３２−Ｂが設けられている領域）とを形成することにより、冷媒（空気）の自然対流（ファンレス対流）が促進されるため、放熱面と冷媒（空気）との熱伝達が向上し、高い放熱性能（冷却効率）を得ることができる。
【００５３】
［第３の実施の形態］
図４は、本発明の第３の実施の形態にかかる放熱装置を示す図である。具体的には、図４（ａ）は、配線基板上に実装された半導体素子上に設けられた本発明の第３の実施の形態にかかる放熱装置の斜視図であり、図４（ｂ）は図４（ａ）において矢印Ａの方向に見たときの状態を示す図である。
【００５４】
なお、図４において、図２又は図３を参照して示した箇所と同じ箇所には同じ符号を付して、その説明を省略する。
【００５５】
図２を参照して説明した本発明の第１の実施の形態では、ピン２２−Ａとピン２２−Ｂとは、互いに鉛直方向に略等しい長さを有し、図３を参照して説明した本発明の第２の実施の形態では、ピン３２−Ａとピン３２−Ｂとは、互いに鉛直方向に略等しい長さを有している。本発明の第３の実施の形態においては、放熱装置のピンの鉛直方向の長さが長い領域と短い領域とを設けることにより温度勾配を形成している。
【００５６】
より具体的には、本発明の第３の実施の形態にかかる放熱装置４０のベース部２１の上面に複数本設けられた鉛直方向に柱状の２種類のピン４２−Ａ及び４２−Ｂの鉛直方向の長さを、ピン４２−Ａがピン４２−Ｂが長くなるように設定している。
【００５７】
かかるピン４２−Ａ及び４２−Ｂは、ベース部２１の上面において、縦横に交互になるように配列されている。従って、ピン４２−Ａ及び４２−Ｂは互いに隣り合うように、ベース部２１の上面に設けられている。
【００５８】
かかる構造の下、半導体素子２３が動作すると半導体素子２３は発熱するが、当該熱は、ベース部２１の平面方向に拡散され、更に、ベース部２１の上面に複数本設けられたピン３２−Ａ及び３２−Ｂに伝導する。そうすると、ピン３２−Ａ及び３２−Ｂの温度は上昇するため、ピン３２−Ａ及び３２−Ｂの近傍の冷媒（空気）が暖められ、上方向の対流、即ち、上昇気流が発生し、半導体素子２３から発せられた熱は外部の空気中に放散される。このことは、図１に示す従来の放熱装置１０の場合と同じである。
【００５９】
本例では更に、上述のように、ベース部２１の上面に複数本設けられた柱状の２種類のピン４２−Ａ及び４２−Ｂの鉛直方向の長さは相違する。従って、放熱装置４０の放熱面において、放熱面積の大きい領域（鉛直方向の長さが長いピン４２−Ａが設けられている領域）と放熱面積の小さい領域（鉛直方向の長さが短いピン４２−Ｂが設けられている領域）とが形成されている。
【００６０】
放熱面積の大きい領域（ピン４２−Ａが設けられている領域）では、温度が低くなる一方、放熱面積の小さい領域（ピン４２−Ｂが設けられている領域）では、温度が高くなる。
【００６１】
このように、本例では、温度が高い領域（ピン４２−Ｂが設けられている領域）と温度が低い領域（ピン４２−Ａが設けられている領域）とにより温度勾配が形成されているため、図４（ｂ）に白抜きの矢印で示すように、温度が高い領域（ピン４２−Ｂが設けられている領域）から温度が低い領域（ピン４２−Ａが設けられている領域）に向かって斜めに対流が発生・促進される。
【００６２】
即ち、本例では、放熱面積の大きい領域（鉛直方向の長さが長いピン４２−Ａが設けられている領域）と、放熱面積の小さい領域（鉛直方向の長さが短いピン４２−Ｂが設けられている領域）とを形成することにより、冷媒（空気）の自然対流（ファンレス対流）が促進されるため、放熱面と冷媒（空気）との熱伝達が向上し、高い放熱性能（冷却効率）を得ることができる。
【００６３】
以上、説明したように、本発明の実施の形態によれば、放熱装置のピンの温度を全て均一の温度にしない構造として、当該放熱装置の放熱面に温度勾配を形成し、その温度勾配を利用して、強制空冷（強制対流）以外の方法、即ち、ファン等の放熱装置以外の駆動装置を用いることなく、自然空冷（自然対流）により、冷媒（空気）の対流を促進させている。従って、放熱面と冷媒（空気）との熱伝達が向上し、高い放熱性能（冷却効率）を得ることができる。
【００６４】
また、ファン等の放熱装置以外の駆動装置を使用しないため、放熱装置以外の装置の配設箇所を設ける必要はなく、更に、駆動電力も必要としないため、電子機器の大幅な設計変更をすることなく、簡易な構造で、高い放熱性能（冷却効率）を得ることができる。
【００６５】
更に、放熱装置のピンの温度を全て均一の温度にしない構造を、従来の放熱装置に対し簡単な処理を施すだけで実現することができる。即ち、本発明の第１の実施の形態では、ピン２２−Ｂに樹脂皮膜の形成という表面処理を、本発明の第２の実施の形態では、ピン３２−Ａに黒色塗料を塗布するという表面処理を、本発明の第２の実施の形態では、ピン４２−Ｂの長さをピン４２−Ａよりも短くするという処理を、を施すだけで実現することができる。従って、放熱装置の製造コストを低く抑えることができる。
【００６６】
以上、本発明の実施の形態について詳述したが、本発明は特定の実施形態に限定されるものではなく、特許請求の範囲に記載された本発明の要旨の範囲内において、種々の変形及び変更が可能である。
【００６７】
例えば、上述の本発明の第１乃至第３の実施の形態を組み合わせて放熱装置を構成してもよく、この場合も、放熱装置の放熱面に温度勾配を形成し、その温度勾配を利用して、自然空冷（自然対流）により、冷媒（空気）の対流を促進させるため、放熱面と冷媒（空気）との熱伝達が向上し、高い放熱性能（冷却効率）を得ることができる。
【００６８】
以上の説明に関し、更に以下の項を開示する。
（付記１）  電子部品の放熱装置であって、
当該放熱装置の放熱部に温度勾配が形成されることを特徴とする電子部品の放熱装置。
（付記２）  付記１記載の電子部品の放熱装置であって、
前記放熱部の隣り合う箇所の温度が互いに相違するように、前記温度勾配が形成されていることを特徴とする電子部品の放熱装置。
（付記３）  付記１又は２記載の電子部品の放熱装置であって、
前記放熱部に、熱伝導率が高い箇所と熱伝導率が低い箇所とが交互に配設されて、前記温度勾配が形成されていることを特徴とする電子部品の放熱装置。
（付記４）  付記３記載の電子部品の放熱装置であって、
前記放熱部の前記熱伝導率が低い箇所の表面には、樹脂皮膜が形成されていることを特徴とする電子部品の放熱装置。
（付記５）  付記４記載の電子部品の放熱装置であって、
前記樹脂薄膜は、エポキシ樹脂又はフッ素系樹脂であることを特徴とする電子部品の放熱装置。
（付記６）  付記１又は２記載の電子部品の放熱装置であって、
前記放熱部に、輻射率が高い箇所と輻射率が低い箇所とが交互に配設されて、前記温度勾配が形成されていることを特徴とする電子部品の放熱装置。
（付記７）  付記６記載の電子部品の放熱装置であって、
前記放熱部の前記輻射率が高い箇所の表面の色と、前記放熱部の前記輻射率が低い箇所の表面の色とは、互いに相違していることを特徴とする電子部品の放熱装置。
（付記８）  付記７記載の電子部品の放熱装置であって、
前記放熱部の前記輻射率が高い箇所の表面には黒色塗料が塗布されていることを特徴とする電子部品の放熱装置。
（付記９）  付記１又は２記載の電子部品の放熱装置であって、
前記放熱部に、放熱面積が大きい箇所と放熱面積が小さい箇所とが交互に配設されて、前記温度勾配が形成されていることを特徴とする電子部品の放熱装置。
（付記１０）  付記９記載の電子部品の放熱装置であって、
前記放熱部の前記放熱面積が大きい箇所の鉛直方向の長さは、前記放熱部の前記放熱面積が小さい箇所の鉛直方向の長さよりも長いことを特徴とする電子部品の放熱装置。
（付記１１）  付記１乃至１０記載の電子部品の放熱装置であって、
前記放熱部は、鉛直方向に柱状に形成された複数のピンから構成されることを特徴とする電子部品の放熱装置。
（付記１２）  放熱部に温度勾配が形成される放熱装置を備えたことを特徴とする電子部品。
【図面の簡単な説明】
【００６９】
【図１】配線基板上に実装された半導体素子上に設けられた従来の放熱装置を示す図である。
【図２】本発明の第１の実施の形態にかかる放熱装置を示す図である。
【図３】本発明の第２の実施の形態にかかる放熱装置を示す図である。
【図４】本発明の第３の実施の形態にかかる放熱装置を示す図である。
【符号の説明】
【００７０】
１、２１                      ベース部
２、２２−Ａ、２２−Ｂ、３２−Ａ、３２−Ｂ、４２−Ａ、４２−Ｂ      ピン
３、２３                      半導体素子
４、２４                      配線基板
１０、２０、３０、４０        放熱装置
【図１】
2008098432.tif 000003
【図２】
2008098432.tif 000004
【図３】
2008098432.tif 000005
【図４】
2008098432.tif 000006